【手続補正書】
【提出日】平成27年3月27日(2015.3.27)
【手続補正１】
【補正対象書類名】特許請求の範囲
【補正対象項目名】全文
【補正方法】変更
【補正の内容】
【特許請求の範囲】
【請求項１】
移動通信端末で、互いにダウンリンク信号の送信を調整する少なくとも第１のセル及び第２のセルから前記ダウンリンク信号を受信する段階と、
前記端末で、受信した前記ダウンリンク信号に基づいて、前記第１のセル及び前記第２のセルによって、前記第１のセル及び前記第２のセルから前記端末に対して共同で送信される共同ダウンリンク送信をプリコードするときに使用されるべく構成されたチャネルフィードバックを計算する段階と、
前記端末から前記チャネルフィードバックを送信する段階と
を備え、
前記端末において計算された前記チャネルフィードバックは、前記第１のセルが、第１のプリコードベクトルを利用して前記端末宛の第１の信号をプリコードできるようにし、前記第２のセルが、前記第１のプリコードベクトルと大きさが異なる第２のプリコードベクトルを利用して前記端末宛の第２の信号をプリコードできるようにし、かつ、前記第１の信号及び前記第２の信号が同じデータを伝達するようにされている、移動体通信のための方法。
【請求項２】
前記チャネルフィードバックを計算する段階は、
前記第１のセルに、前記共同ダウンリンク送信を前記端末に第１の電力レベルで送信させ、前記第２のセルに、前記共同ダウンリンク送信を前記端末に、前記第１の電力レベルとは異なる第２の電力レベルで送信させるための前記チャネルフィードバックを計算する段階を含む、請求項１に記載の方法。
【請求項３】
前記チャネルフィードバックを計算する段階は、
前記第１のプリコードベクトル及び前記第２のプリコードベクトルについてそれぞれ異なる第１の推奨される大きさ及び第２の推奨される大きさを計算する段階を含む、請求項１または２に記載の方法。
【請求項４】
前記チャネルフィードバックを計算する段階は、
前記第１のセル及び前記第２のセルに、それぞれ異なる大きさの前記第１のプリコードベクトル及び前記第２のプリコードベクトルを選択させる制約のもとで、チャネル品質インジケータ（ＣＱＩ）を計算する段階を含む、請求項１または２に記載の方法。
【請求項５】
前記チャネルフィードバックを計算する段階は、
前記端末を宛先とする前記共同ダウンリンク送信と同時には、他の端末へのいかなる追加的なダウンリンク信号もスケジュールされない第１の制約のもとで計算された、シングルユーザのチャネル品質インジケータ（ＣＱＩ）、
前記端末を宛先とする前記共同ダウンリンク送信と同時に、１以上の他の端末への追加的なダウンリンク信号がスケジュールされている第２の制約のもとで計算された、マルチユーザＣＱＩ、及び、
前記第１のセル及び前記第２のセルが互いに前記送信を調整しない第３の制約のもとで計算された、非協力的な送信ＣＱＩ、
のうち１以上を計算する段階を含む、請求項１または２に記載の方法。
【請求項６】
前記ダウンリンク信号を受信する段階は、
前記第１のセル及び前記第２のセルによって、それぞれ前記第１のプリコードベクトル及び前記第２のプリコードベクトルを利用して、前記端末に同じデータが同時に送信される共同処理（ＪＰ）送信を受信する段階を含む、請求項１または２に記載の方法。
【請求項７】
前記ダウンリンク信号を受信する段階は、
前記端末への干渉が、前記第１のプリコードベクトル及び前記第２のプリコードベクトルの利用によって制御されている、調整されたビームフォーミング送信を受信する段階を含む、請求項１または２に記載の方法。
【請求項８】
前記チャネルフィードバックを計算する段階は、
前記第１のセル及び前記第２のセルが前記第１のプリコードベクトル及び前記第２のプリコードベクトルをそれぞれ異なる大きさのチャネル情報に基づいて選択する想定のもとで、前記端末及び前記第１のセル及び前記第２のセルの両方で利用可能な前記チャネル情報に基づいて前記チャネルフィードバックを計算する段階を含む、請求項１または２に記載の方法。
【請求項９】
装置であって、
互いにダウンリンク信号の送信を調整する少なくとも第１のセル及び第２のセルから前記ダウンリンク信号を受信するレシーバと、
受信した前記ダウンリンク信号に基づいて、前記第１のセルが、第１のプリコードベクトルを利用して前記装置宛の第１の信号をプリコードできるようにし、前記第２のセルが、前記第１のプリコードベクトルと大きさが異なる第２のプリコードベクトルを利用して前記装置宛の第２の信号をプリコードできるようにし、かつ、前記第１の信号及び前記第２の信号が同じデータを伝達するべく、前記第１のセル及び前記第２のセルによって、前記第１のセル及び前記第２のセルから前記装置に対して共同で送信される共同ダウンリンク送信をプリコードするときに使用されるように構成されたチャネルフィードバックを計算する制御回路と、
前記チャネルフィードバックを送信するトランスミッタと
を備える装置。
【請求項１０】
前記制御回路は、前記第１のセルに、前記共同ダウンリンク送信を前記レシーバに第１の電力レベルで送信させ、前記第２のセルに、前記共同ダウンリンク送信を前記レシーバに、前記第１の電力レベルとは異なる第２の電力レベルで送信させるための前記チャネルフィードバックを計算する、請求項９に記載の装置。
【請求項１１】
前記制御回路は、前記第１のプリコードベクトル及び前記第２のプリコードベクトルについてそれぞれ異なる第１の推奨される大きさ及び第２の推奨される大きさを計算する、請求項９または１０に記載の装置。
【請求項１２】
前記制御回路は、前記第１のセル及び前記第２のセルに、それぞれ異なる大きさの前記第１のプリコードベクトル及び前記第２のプリコードベクトルを選択させる制約のもとで、チャネル品質インジケータ（ＣＱＩ）を計算する、請求項９または１０に記載の装置。
【請求項１３】
前記制御回路は、
前記レシーバを宛先とする前記共同ダウンリンク送信と同時には、他のレシーバへのいかなる追加的なダウンリンク信号もスケジュールされない第１の制約のもとで計算された、シングルユーザのチャネル品質インジケータ（ＣＱＩ）、
前記レシーバを宛先とする前記共同ダウンリンク送信と同時に、１以上の他のレシーバへの追加的なダウンリンク信号がスケジュールされている第２の制約のもとで計算された、マルチユーザＣＱＩ、及び、
前記第１のセル及び前記第２のセルが互いに前記送信を調整しない第３の制約のもとで計算された、非協力的な送信ＣＱＩ、
のうち１以上を計算する、請求項９または１０に記載の装置。
【請求項１４】
前記レシーバは、前記第１のセル及び前記第２のセルによって、それぞれ前記第１のプリコードベクトル及び前記第２のプリコードベクトルを利用して、前記装置に同じデータが同時に送信される共同処理（ＪＰ）送信を受信する、請求項９または１０に記載の装置。
【請求項１５】
前記レシーバは、前記レシーバへの干渉が、前記第１のプリコードベクトル及び前記第２のプリコードベクトルの利用によって制御されている、調整されたビームフォーミング送信を受信する、請求項９または１０に記載の装置。
【請求項１６】
前記制御回路は、前記第１のセル及び前記第２のセルが前記第１のプリコードベクトル及び前記第２のプリコードベクトルをそれぞれ異なる大きさのチャネル情報に基づいて選択する想定のもとで、前記制御回路と、前記第１のセル及び前記第２のセルとの両方で利用可能な前記チャネル情報に基づいて前記チャネルフィードバックを計算する、請求項９または１０に記載の装置。
【請求項１７】
請求項９または１０に記載の装置を備える移動通信端末。
【請求項１８】
請求項９または１０に記載の装置を備える、移動通信端末における信号を処理するチップセット。
【請求項１９】
移動通信端末で、少なくとも第１のセル及び第２のセルから同じデータが同時に前記端末に送信される共同処理送信（ＪＰ送信）を受信する段階と、
前記端末で、受信した前記ＪＰ送信に基づいて、前記第１のセル及び前記第２のセルによって、前記第１のセル及び前記第２のセルから前記端末に対して共同で送信される後続するＪＰ送信をプリコードするときに使用されるべく構成されたチャネルフィードバックを計算する段階と、
前記端末から前記チャネルフィードバックを送信する段階と
を備え、
前記端末において計算された前記チャネルフィードバックは、前記第１のセルが、第１のプリコードベクトルを利用して前記端末宛の第１の信号をプリコードできるようにし、前記第２のセルが、前記第１のプリコードベクトルと電力レベルが異なる第２のプリコードベクトルを利用して前記端末宛の第２の信号をプリコードできるようにし、かつ、前記第１の信号及び前記第２の信号が同じデータを伝達するようにされている、移動体通信のための方法。
【請求項２０】
前記チャネルフィードバックを計算する段階は、
第１のプリコードベクトル及び第２のプリコードベクトルについてそれぞれ異なる第１の推奨される大きさ及び第２の推奨される大きさを計算する段階を含み、
前記チャネルフィードバックを送信する段階は、
前記第１のセル及び前記第２のセルに対して前記第１の推奨される大きさ及び前記第２の推奨される大きさを示す段階を含む、請求項１９に記載の方法。